(57)【特許請求の範囲】
【請求項１】
無端状のベルト部材と、
前記ベルト部材を挟んで対向して配置された一対のベルト支持ロールと、
前記ベルト部材のベルト幅方向に延び且つ前記ベルト部材に固定され、前記ベルト部材と前記ベルト支持ロールとの吸着を防止する吸着防止部材と、
前記吸着防止部材を前記ベルト支持ロールで挟まれた挟持領域に保持した状態で前記ベルト部材を停止させるベルト駆動手段と、
トナー像を担持するトナー像担持ベルトにより構成された前記ベルト部材と、
前記トナー像を転写材に転写させる転写ロール対により構成された前記ベルト支持ロールと、
転写材としての用紙１枚分以上の周長を有する前記トナー像担持ベルトと、
用紙１枚分のトナー像が担持されない非担持領域に固定された前記吸着防止部材と、
を備えたことを特徴とする画像形成装置。
【請求項２】
前記ベルト部材の基準位置を検出する基準位置検出手段と、
検出された前記ベルト部材の基準位置に基づいて、前記吸着防止部材を前記ベルト支持ロールで挟まれた挟持領域に保持した状態で前記ベルト部材を停止させる前記ベルト駆動手段と、
を備えたことを特徴とする請求項１に記載の画像形成装置。
【請求項３】
高離型性部材により構成された前記吸着防止部材、
を備えたことを特徴とする請求項１または２に記載の画像形成装置。
【請求項４】
前記高離性部材としてのフッ素樹脂製のテープにより構成された前記吸着防止部材、
を備えたことを特徴とする請求項３に記載の画像形成装置。
【発明の詳細な説明】
【技術分野】
【０００１】
本発明は、プリンタ、ＦＡＸ、複写機あるいはこれら全てまたは複数の機能を有する複合機等の画像形成装置に関し、特に、無端状のベルト部材を有する画像形成装置に関する。
【背景技術】
【０００２】
従来の電子写真方式の画像形成装置には、感光体ベルトや中間転写ベルト、シート搬送ベルト、定着ベルト等のベルト部材を備えたものがある。これらのベルト部材は、ベルト部材の内側に配置された内側ベルトロールと、内側ベルト支持ロールに対向して配置された外側ベルト支持ロールとからなるベルト支持ロール対で挟持されている。例えば、中間転写ベルトを挟持するバックアップロールおよび２次転写ロールや、中間転写ベルトを挟持する１次転写ロールおよび感光体ドラム、シート搬送ベルトを挟持する１次転写ロールおよび感光体ドラム等がある。
前記ベルト部材を挟持するベルト支持ロール対には、所定の挟持圧（ニップ圧）で挟持する挟持位置と、内側ベルト支持ロールと外側ベルト支持ロールとが離れる離隔位置とを移動する機構を備えたものがあるが、低コスト化からこのような機構を有しない常時接触型（常時挟持型）のベルト支持ロール対が増加している。しかし、これらの装置で、装置起動時（電源オン時やジョブ開始時等）に、周期性を持った異音、騒音が発生することがあった。
【０００３】
図５は従来技術の説明図であり、図５Ａはベルト部材が停止した状態の説明図、図５Ｂはベルト部材が回転を開始した直後の状態の説明図、図５Ｃはベルト部材が内側ベルト支持ロールから離隔した状態の説明図である。
本発明者の調査の結果、以下の理由により異音が発生していることがわかった。すなわち、図５Ａにおいて、ベルト支持ロール対（０１，０２）によりベルト部材０３を所定の挟持圧力で挟持しているために、ゴムロールで構成されたベルト支持ロール対（０１，０２）のゴム層表面から配合剤等がしみ出して（いわゆる、ブリードが発生して）、内側ベルト支持ロール０２のゴム層とベルト部材０３の裏面（内面）とが吸着する（タックする）。この状態で、ベルト部材０３が回転を開始すると、ベルト部材０３のタックした部分が内側ベルト支持ロール０２に吸着した状態で回転し、ベルト部材０３が引っ張られる（図５Ｂ参照）。この状態から、さらにベルト部材０３が回転すると、ベルト部材０３が内側ベルト支持ロール０２から離れ（図５Ｃ参照）、ベルト部材０３が弾かれて振動することにより、異音が発生していた。そして、ブリード成分はしばらくロール０２表面に残るため、異音は内側ベルト支持ロール０２のブリードした部分が挟持領域０４に突入する度に周期的に発生し、回転状態がしばらく経過すると異音が収まった。
【０００４】
前記ベルト部材とは関係がなく、ベルトの振動による異音の発生が問題とならないが、画像形成装置の技術分野において、ゴムロールのブリードに対応するための技術として、下記の従来技術（Ｊ01）が公知である。
（Ｊ01）特許文献１（特開平０５−０２７６１５号公報）記載の技術
特許文献１には、感光体表面のトナー像を記録シートに転写する転写ロール（ゴムロール）において、転写ロールと感光体表面とが対向する転写領域にトナーを介在させて付着を防止する技術が記載されている。
【０００５】
【特許文献１】特開平０５−０２７６１５号公報
【発明の開示】
【発明が解決しようとする課題】
【０００６】
（従来技術の問題点）
前記従来技術（Ｊ01）を、中間転写ベルトのようなベルト部材に適用することが考えられるが、中間転写ベルトの表面にはトナーを供給することができても、裏面（内面）にはトナーを供給することができず、バックアップロール（内側ベルト支持ロール）と中間転写ベルトとのタックを防止することはできない。仮に、内側ベルト支持ロールと中間転写ベルトとの間にトナーを供給する装置を配置することも考えられるが、部品点数が多くなってコストが上昇し、構成が複雑化する問題がある。このほかにも、予め、トナーを内側ベルト支持ロールに付着させておくことも考えられるが、使用に伴って経時的に効果が低下する問題がある。
【０００７】
本発明は前記事情に鑑み、次の記載内容（Ｏ01），（Ｏ02）を技術的課題とする。
（Ｏ01）ベルト支持ロールとベルト部材とのタックを防止すること。
（Ｏ02）低コスト且つシンプルな構成で経時的に効果が維持可能な構成で、異音の発生を防止すること。
【課題を解決するための手段】
【０００８】
次に、前記課題を解決した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００９】
（第１発明）
前記技術的課題を解決するために第１発明の画像形成装置は、
無端状のベルト部材（Ｂ）と、
前記ベルト部材（Ｂ）を挟んで対向して配置された一対のベルト支持ロール（Ｔ２ａ，Ｔ２ｂ）と、
前記ベルト部材（Ｂ）のベルト幅方向に延び且つ前記ベルト部材（Ｂ）に固定され、前記ベルト部材（Ｂ）と前記ベルト支持ロール（Ｔ２ａ）との吸着を防止する吸着防止部材（２）と、
前記吸着防止部材（２）を前記ベルト支持ロール（Ｔ２ａ，Ｔ２ｂ）で挟まれた挟持領域（Ｑ４）に保持した状態で前記ベルト部材（Ｂ）を停止させるベルト駆動手段（Ｃ１）と、
トナー像を担持するトナー像担持ベルト（Ｂ）により構成された前記ベルト部材（Ｂ）と、
前記トナー像を転写材（Ｓ）に転写させる転写ロール対（Ｔ２）により構成された前記ベルト支持ロール（Ｔ２ａ，Ｔ２ｂ）と、
転写材としての用紙（Ｓ）１枚分以上の周長を有する前記トナー像担持ベルト（Ｂ）と、
用紙１枚分のトナー像が担持されない非担持領域に固定された前記吸着防止部材（２）と、
を備えたことを特徴とする。
【００１０】
（第１発明の作用）
前記構成要件を備えた第１発明の画像形成装置では、一対のベルト支持ロール（Ｔ２ａ，Ｔ２ｂ）は、前記ベルト部材（Ｂ）を挟む。前記ベルト部材（Ｂ）のベルト幅方向に延びる吸着防止部材（２）が、前記ベルト部材（Ｂ）に固定されている。前記吸着防止部材（２）は、前記ベルト部材（Ｂ）と前記ベルト支持ロール（Ｔ２ａ）との吸着を防止する。ベルト駆動手段（Ｃ１）は、前記吸着防止部材（２）を前記ベルト支持ロール（Ｔ２ａ，Ｔ２ｂ）で挟まれた挟持領域（Ｑ４）に保持した状態で前記ベルト部材（Ｂ）を停止させる。
したがって、第１発明の画像形成装置では、ベルト部材（Ｂ）が停止した状態では、吸着防止部材（２）が挟持領域（Ｑ４）に配置されているので、ベルト支持ロール（Ｔ２ａ）でブリードが発生しても、ベルト支持ロール（Ｔ２ａ）がベルト部材（Ｂ）に吸着する（タックする）ことを防止できる。この結果、ベルト部材（Ｂ）駆動時に、ベルト支持ロール（Ｔ２ａ）に吸着したベルト部材（Ｂ）が離隔することによる異音の発生を防止できる。また、ベルト部材（Ｂ）に固定された高離型性の吸着防止部材（２）でタックを長期にわたって防止できるので、従来技術のようにトナーを供給したりすることによるトナーの無駄遣いによるコスト上昇や構成の複雑化を防止でき、経時的にタック防止効果を維持できる。
また、第１発明の画像形成装置では、前記ベルト部材（Ｂ）は、トナー像を担持するトナー像担持ベルト（Ｂ）により構成されている。前記ベルト支持ロール（Ｔ２ａ，Ｔ２ｂ）は、前記トナー像を転写材（Ｓ）に転写させる転写ロール対（Ｔ２）により構成されている。したがって、転写ロール対（Ｔ２）がトナー像担持ベルト（Ｂ）に吸着することによる異音を防止できる。
さらに、第１発明の画像形成装置において、前記トナー像担持ベルト（Ｂ）は、転写材としての用紙（Ｓ）１枚分以上の周長を有し、トナー像担持ベルト（Ｂ）には１枚分のトナー像が担持できる。前記吸着防止部材（２）は、用紙１枚分のトナー像が担持されない非担持領域に固定されている。したがって、吸着防止部材（２）が固定された位置には、トナー像が担持されないので、トナー像に悪影響を与えることを防止できる。
【００１１】
（第１発明の形態１）
第１発明の形態１の画像形成装置は、前記第１発明において、
前記ベルト部材（Ｂ）の基準位置を検出する基準位置検出手段（Ｃ３）と、
検出された前記ベルト部材（Ｂ）の基準位置に基づいて、前記吸着防止部材（２）を前記ベルト支持ロール（Ｔ２ａ，Ｔ２ｂ）で挟まれた挟持領域（Ｑ４）に保持した状態で前記ベルト部材（Ｂ）を停止させる前記ベルト駆動手段（Ｃ１）と、
を備えたことを特徴とする。
（第１発明の形態１の作用）
前記構成要件を備えた第１発明の形態１の画像形成装置では、基準位置検出手段（Ｃ３）は、前記ベルト部材（Ｂ）の基準位置を検出する。前記ベルト駆動手段（Ｃ１）は、検出された前記ベルト部材（Ｂ）の基準位置に基づいて、前記吸着防止部材（２）を前記ベルト支持ロール（Ｔ２ａ，Ｔ２ｂ）で挟まれた挟持領域（Ｑ４）に保持した状態で前記ベルト部材（Ｂ）を停止させる。したがって、ベルト部材（Ｂ）の基準位置に基づいて、ベルト部材（Ｂ）を所定の位置で停止させることができる。
【００１４】
（第１発明の形態２）
第１発明の形態２の画像形成装置は、前記第１発明または第１発明の形態１において、
高離型性部材により構成された前記吸着防止部材（２）、
を備えたことを特徴とする。
（第１発明の形態２の作用）
前記構成要件を備えた第１発明の形態２の画像形成装置では、高離型性部材により構成された前記吸着防止部材（２）によりタックを防止できる。
【００１５】
（第１発明の形態３）
第１発明の形態３の画像形成装置は、前記第１発明の形態２において、
前記高離型性部材としてのフッ素樹脂製のテープにより構成された前記吸着防止部材（２）、
を備えたことを特徴とする。
（第１発明の形態３の作用）
前記構成要件を備えた第１発明の形態２の画像形成装置では、高離型性部材としてのフッ素樹脂製のテープにより構成された前記吸着防止部材（２）によりタックを防止できる。
【発明の効果】
【００１６】
前述の本発明は、下記の効果（Ｅ01），（Ｅ02）を奏する。
（Ｅ01）ベルト支持ロールとベルト部材とのタックを防止することができる。
（Ｅ02）低コスト且つシンプルな構成で経時的に効果が維持可能な構成で、異音の発生を防止することができる。
【発明を実施するための最良の形態】
【００１７】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１８】
図１は本発明の実施例１の画像形成装置の全体説明図である。
図１において、画像形成装置Ｕは自動原稿搬送装置Ｕ1と、これを支持し且つ上端にプラテンガラスＰＧを有する画像形成装置本体（複写機）Ｕ2とを備えている。
前記自動原稿搬送装置Ｕ1は、複写しようとする複数の原稿Ｇiが重ねて載置される原稿給紙トレイＴＧ1と、原稿給紙トレイＴＧ1から前記プラテンガラスＰＧ上の複写位置（原稿読取位置）を通過して搬送される原稿Ｇiが排出される原稿排紙トレイＴＧ2とを有している。
前記画像形成装置本体Ｕ2は、ユーザがコピースタート等の作動指令信号を入力操作するＵＩ（ユーザインタフェース）と、露光光学系Ａ等を有している。
【００１９】
前記自動原稿搬送装置Ｕ2でプラテンガラスＰＧ上を搬送される原稿または手動でプラテンガラスＰＧ上に置かれた原稿（図示せず）からの反射光は、前記露光光学系Ａを介して、ＣＣＤ（固体撮像素子）でＲ（赤）、Ｇ（緑）、Ｂ（青）の電気信号に変換される。
ＩＰＳ（イメージプロセッシングシステム）は、ＣＣＤから入力される前記ＲＧＢの電気信号をＫ（黒）、Ｙ（イエロー）、Ｍ（マゼンタ）、Ｃ（シアン）の画像データに変換して一時的に記憶し、前記画像データを所定のタイミングで潜像形成用の画像データとしてレーザ駆動回路ＤＬに出力する。
なお、原稿画像がモノクロの場合は、Ｋ（黒）のみの画像データがレーザ駆動回路ＤＬに入力される。
前記レーザ駆動回路ＤＬは、各色Ｙ，Ｍ，Ｃ，Ｋの各レーザ駆動回路（図示せず）を有し、入力された画像データに応じたレーザ駆動信号を所定のタイミングで、潜像形成光学系ＲＯＳの各色の潜像書込用レーザダイオード（図示せず）に出力する。
【００２０】
前記ＲＯＳの上方に配置されたトナー像形成装置Ｕｙ，Ｕｍ，Ｕｃ，Ｕｋはそれぞれ、Ｙ（イエロー）、Ｍ（マゼンタ）、Ｃ（シアン）、およびＫ（黒）の各色のトナー像を形成する装置である。
潜像形成光学系ＲＯＳの前記図示しない各レーザダイオードから出射したＹ，Ｍ，Ｃ，ＫのレーザビームＬｙ，Ｌｍ，Ｌｃ，Ｌｋは、それぞれ、回転する像担持体ＰＲｙ，ＰＲｍ，ＰＲｃ，ＰＲｋに入射する。
前記Ｙのトナー像形成装置Ｕｙは、回転する像担持体ＰＲｙ、帯電ロールＣＲｙ，現像装置Ｇｙ、転写ロールＴ１ｙ、クリーナＣＬｙを有しており、前記トナー像形成装置Ｕｍ，Ｕｃ，Ｕｋはいずれも前記Ｙのトナー像形成装置Ｕｙと同様に構成されている。
【００２１】
図２は実施例１の画像形成装置の要部説明図であり、図２Ａは中間転写ベルトの全体説明図、図２Ｂは二次転写領域の拡大説明図である。
図１，図２において、前記各像担持体ＰＲｙ，ＰＲｍ，ＰＲｃ，ＰＲｋはそれぞれの帯電ロールＣＲｙ，ＣＲｍ，ＣＲｃ，ＣＲｋにより一様に帯電された後、画像書込位置Ｑ１ｙ、Ｑ１ｍ，Ｑ１ｃ，Ｑ１ｋにおいて、前記レーザビームＬｙ，Ｌｍ，Ｌｃ，Ｌｋにより、その表面に静電潜像が形成される。前記像担持体ＰＲｙ，ＰＲｍ，ＰＲｃ，ＰＲｋ表面の静電潜像は、現像領域Ｑ２ｙ，Ｑ２ｍ，Ｑ２ｃ，Ｑ２ｋにおいて現像器Ｇｙ，Ｇｍ，Ｇｃ，Ｇｋによりトナー像に現像される。
その現像されたトナー像は、中間転写ベルトＢに接触する１次転写領域Ｑ３ｙ，Ｑ３ｍ，Ｑ３ｃ，Ｑ３ｋに搬送される。前記１次転写領域Ｑ３ｙ，Ｑ３ｍ，Ｑ３ｃ，Ｑ３ｋにおいて中間転写ベルトＢの裏面側に配置された１次転写ロールＴ1ｙ，Ｔ1ｍ，Ｔ1ｃ，Ｔ1ｋには、コントローラＣにより制御される電源回路Ｅから所定のタイミングでトナーの帯電極性と逆極性の１次転写電圧が印加される。
前記各像担持体ＰＲｙ〜ＰＲｋ上のトナー像は前記１次転写ロールＴ1ｙ，Ｔ1ｍ，Ｔ1ｃ，Ｔ1ｋにより中間転写ベルトＢに１次転写される。１次転写後の像担持体ＰＲｙ，ＰＲｍ，ＰＲｃ，ＰＲｋ表面の残留トナーは、像担持体クリーナＣＬｙ，ＣＬｍ，ＣＬｃ，ＣＬｋによりクリーニングされる。
【００２２】
前記像担持体ＰＲｙ〜ＰＲｋの上方には、上下移動可能且つ前方に引き出し可能なベルトモジュールＢＭが配置されている。前記ベルトモジュールＢＭは、前記中間転写ベルトＢと、ベルト駆動ロールＲｄ、テンションロールＲｔ、ウォーキングロールＲｗ、アイドラロール（フリーロール）ＲｆおよびバックアップロールＴ２aを含むベルト支持ロール（Ｒｄ，Ｒｔ，Ｒｗ，Ｒｆ，Ｔ２a）と、前記１次転写ロールＴ1ｙ，Ｔ1ｍ，Ｔ1ｃ，Ｔ1ｋとを有している。そして、前記中間転写ベルトＢは前記ベルト支持ロール（Ｒｄ，Ｒｔ，Ｒｗ，Ｒｆ，Ｔ２a）により回転移動可能に支持されている。したがって、前記駆動ロールＲｄを回転駆動する駆動装置（後述するメインモータＭ１）および前記ベルト支持ロール（Ｒｄ，Ｒｔ，Ｒｗ，Ｒｆ，Ｔ２a）等により中間転写ベルト駆動装置すなわち、中間転写材（中間転写ベルト）を搬送する転写材搬送装置（Ｒｄ，Ｒｔ，Ｒｗ，Ｒｆ，Ｔ２a）が構成されている。
【００２３】
前記バックアップロール（ベルト支持ロール）Ｔ２aに接する中間転写ベルトＢの表面に対向して２次転写ロール（ベルト支持ロール）Ｔ２bが配置されており、前記各ロールＴ２a，Ｔ２bにより２次転写器（ベルト支持ロール対、転写ロール対）Ｔ２が構成されている。また、２次転写ロールＴ２bおよび中間転写ベルトＢの対向する領域には２次転写領域Ｑ4が形成される。実施例１では、バックアップロールＴ２ａと二次転写ロールＴ２ｂとのニップ圧（総荷重）が５ｋｇｆに設定されている。
【００２４】
図２において、前記中間転写ベルトＢの内側には、基準位置検出センサＳＮ１が配置されている。図２Ｂにおいて、中間転写ベルト（ベルト部材、トナー像担持ベルト）Ｂの内周面には、前記基準位置検出センサＳＮ１で検出される基準位置検出マーク１が固定されている。また、前記中間転写ベルトＢの内周面には、前記基準位置検出マーク１から離れた位置に、ベルト幅方向に延びる吸着防止部材２が固定されている。
実施例１の吸着防止部材２は、前記基準位置検出マーク１から４０ｍｍ離れた位置に配置され、長さ１５ｍｍ、幅３５０ｍｍで厚み５０μｍのＰＴＦＥ（ポリテトラフルオロエチレン）製のフッ素樹脂テープ（高離型性部材）により構成されている。なお、実施例１では、二次転写ロールＴ２ｂとバックアップロールＴ２ａとにより挟圧される二次転写領域（挟持領域）Ｑ４のニップ幅（ベルト回転方向に沿った挟持領域の幅）は６ｍｍに設定されている。したがって、ニップ幅（６ｍｍ）に対して、吸着防止部材２の長さ（１５ｍｍ）の方が広く設定されている。また、実施例１の画像形成装置Ｕでは、中間転写ベルトＢの周長は、最大サイズのトナー像が１ページ分担持できるように１ページ分以上の周長に設定されており、トナー像が転写される（担持される）位置は、前記基準位置に基づいて所定の位置に設定されている。そして、前記吸着防止部材２は、トナー像が担持されない非担持領域（インターイメージ領域）に対応する裏面に固定支持されている。
【００２５】
なお、実施例１の二次転写ロールＴ２ｂは、発泡ウレタンの単層ロール（ＡｓｋｅｒＣ硬度は３５度）により構成されており、中間転写ベルトＢから離隔する機構は有しない。また、実施例１のバックアップロールＴ２ａは、エピクロルヒドリンにより構成されている。
前記１次転写領域Ｑ３ｙ，Ｑ３ｍ，Ｑ３ｃ，Ｑ３ｋで転写器Ｔ1ｙ，Ｔ1ｍ，Ｔ1ｃ，Ｔ1ｋにより中間転写ベルトＢ上に順次重ねて転写されたカラートナー像は、前記２次転写領域Ｑ4に搬送される。
【００２６】
前記ＲＯＳの下方には、給紙トレイＴＲ1〜ＴＲ3を前後方向（Ｘ軸方向）に出入可能に支持する左右一対のガイドレールＧＲ、ＧＲが３段設けられている。給紙トレイＴＲ1〜ＴＲ3の記録シート(最終転写材)Ｓは、ピックアップロールＲpにより取り出され、さばきロールＲsにより１枚ずつ分離れてから複数の搬送ロールＲａによりレジロールＲrに送られる。前記シート搬送ロールＲａはシートガイドにより形成されたシート搬送路ＳＨに沿って複数設けられており、２次転写領域Ｑ４のシート搬送方向上流側にはレジロールＲｒが配置されている。前記シート搬送路ＳＨ、シート搬送ロールＲａ、レジロールＲｒ等によりシート搬送装置（ＳＨ＋Ｒａ＋Ｒｒ）が構成されている。
【００２７】
レジロールＲrは、前記中間転写ベルトＢに形成されたカラートナー像が２次転写領域Ｑ4に搬送されるのにタイミングを合わせて、前記記録シートＳを２次転写領域Ｑ4に搬送する。記録シートＳが前記２次転写領域Ｑ4を通過する際、前記バックアップロールＴ２aはアースされ、２次転写ロールＴ２bには前記コントローラＣにより制御される電源回路Ｅから所定のタイミングでトナーの帯電極性と逆極性の２次転写電圧が印加される。このとき、前記中間転写ベルトＢ上のカラートナー像は、前記２次転写器Ｔ２により前記記録シートＳに転写される。
２次転写後の前記中間転写ベルトＢは、ベルトクリーナＣＬbによりクリーニングされる。
【００２８】
前記トナー像が２次転写された記録シートＳは、定着装置Ｆの加熱ロールＦhおよび加圧ロールＦpの圧接領域である定着領域Ｑ5に搬送され、前記定領域を通過する際に加熱定着された後、排出ローラＲhから排紙トレイＴＲhに排出される。
なお、前記加熱ロールＦh表面には、記録シートＳの前記加熱ロールからの離型性を良くするための離型剤が離型剤塗布装置Ｆaにより塗布されている。
【００２９】
前記ベルトモジュールＢＭの上方にはＹ（イエロー），Ｍ（マゼンタ），Ｃ（シアン），Ｋ（黒）の各現像剤を収容する現像剤カセットＫｙ，Ｋｍ，Ｋｃ，Ｋｋが配置されている。各現像剤カセットＫｙ，Ｋｍ，Ｋｃ，Ｋｋに収容された現像剤は、前記現像器Ｇｙ，Ｇｍ，Ｇｃ，Ｇｋの現像剤の消費に応じて、図示しない現像剤補給路から前記各現像器Ｇｙ，Ｇｍ，Ｇｃ，Ｇｋに補給される。
【００３０】
図１において、前記画像形成装置Ｕは上側フレームＵＦと下側フレームＬＦとを有しており、上側フレームＵＦには、前記ＲＯＳおよびＲＯＳよりも上方に配置された部材（像担持体ＰＲｙ，ＰＲｍ，ＰＲｃ，ＰＲｋ、現像器Ｇｙ，Ｇｍ，Ｇｃ，Ｇｋ、ベルトモジュールＢＭ等）が支持されている。
また、下側フレームＬＦには、前記給紙トレイＴＲ1〜ＴＲ3を支持するガイドレールＧＲおよび前記各トレイＴＲ1〜ＴＲ3から給紙を行う前記給紙部材（ピックアップロールＲp，さばきロールＲs，シート搬送ロールＲa等）が支持されている。
【００３１】
（実施例１の制御部の説明）
図３は本発明の実施例１の画像形成装置の制御部のブロック線図（機能ブロック図）である。
図３において、前記コントローラＣは、外部との信号の入出力および入出力信号レベルの調節等を行うＩ／Ｏ（入出力インタフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するマイクロコンピュータにより構成されており、前記ＲＯＭに記憶されたプログラムを実行することにより種々の機能を実現することができる。
【００３２】
（前記コントローラＣに接続された信号入力要素）
前記コントローラＣには、次の信号出力要素ＵＩ（ユーザインタフェース）や基準位置検出センサＳＮ１その他の各種センサ等の出力信号が入力されている。
ＵＩ：ユーザインタフェース
ユーザインタフェースＵＩは、表示部ＵＩ１やコピースタートキーＵＩ２、テンキーＵＩ３等を備えている。
ＳＮ１：基準位置検出センサ
基準位置検出センサＳＮ１は、中間転写ベルトＢに固定された基準位置検出マーク１を検出する。
【００３３】
（コントローラＣに接続された被制御要素）
コントローラＣは、次の被制御要素の制御信号を出力している。
ＩＰＳ：イメージプロセッシングシステム
イメージプロセッシングシステムＩＰＳは、受信した画像信号やＣＣＤで読取った画像信号をデジタルの画像書込信号に変換してレーザ駆動信号出力回路ＤＬに出力する。
ＤＬ：レーザ駆動回路
レーザ駆動回路ＤＬは、入力された画像書込信号に応じてレーザ駆動信号をＲＯＳ（潜像形成装置）に出力する。前記レーザ駆動信号に応じて、ＲＯＳ（潜像形成装置）のレーザダイオード（図示せず）から照射されたレーザビームＬｙ〜Ｌｋは、前記像担持体ＰＲ表面を走査して、前記像担持体ＰＲ表面に静電潜像を形成する。
Ｄ１：メインモータ駆動回路（ベルト駆動モータ駆動回路）
メインモータ駆動回路Ｄ１は、メインモータ（ベルト駆動モータ）Ｍ１を駆動することにより、前記現像器Ｇｙ〜Ｇｋ、像担持体ＰＲｙ〜ＰＲｋ、帯電ロールＣＲｙ〜ＣＲｋ、駆動ロールＲｄおよび定着装置Ｆの加熱ロールＦｈ等を回転駆動する。
【００３４】
Ｅ：電源回路
電源回路Ｅは、現像バイアス用電源回路Ｅ１、帯電用電源回路Ｅ２、転写用電源回路Ｅ３および定着用電源回路Ｅ４を有している。
Ｅ１：現像バイアス用電源回路
現像バイアス用電源回路Ｅ１は、現像器Ｇｙ〜Ｇｋの現像ロールに現像バイアスを印加する。
Ｅ２：帯電用電源回路
帯電用電源回路Ｅ２は、帯電ロールＣＲｙ〜ＣＲｋに帯電バイアスを印加する。
Ｅ３：転写用電源回路
転写用電源回路Ｅ３は、一次転写ロールＴ１ｙ〜Ｔ１ｋおよび二次転写ロールＴ２ｂに１次転写バイアスおよび二次転写バイアスを印加する。
Ｅ４：定着用電源回路
定着用電源回路Ｅ４は、加熱ロールＦｈにヒータ加熱用電力を供給する。
【００３５】
（前記コントローラＣの機能）
前記コントローラＣは、前記各信号出力要素からの出力信号に応じた処理を実行して、前記各制御要素に制御信号を出力する機能を実現するプログラム（機能実現手段）を有している。前記コントローラＣの各種機能を実現するプログラム（機能実現手段）を次に説明する。
Ｃ１：メインモータ回転制御手段（ベルト駆動手段）
メインモータ回転制御手段Ｃ１は、前記メインモータ駆動回路Ｄ１の動作を制御して、像担持体ＰＲｙ〜ＰＲｋ、現像器Ｇｙ〜Ｇｋ、駆動ロールＲｄおよび定着装置Ｆ等の回転を制御する。
Ｃ２：電源回路制御手段
電源回路制御手段Ｃ２は、次の手段Ｃ２ａ〜Ｃ２ｄを有しており、前記電源回路Ｅを制御して、前記現像バイアス、帯電バイアス、転写バイアス、加熱ロールＦｈのヒータのオンオフ等を制御する。
【００３６】
Ｃ２ａ：現像バイアス制御手段
現像バイアス制御手段Ｃ２ａは、前記現像バイアス用電源回路Ｅ１の動作を制御して、現像ロールＧＲｙ〜ＧＲｋに現像バイアスを印加する。
Ｃ２b：帯電バイアス制御手段
帯電バイアス制御手段Ｃ２bは、前記帯電バイアス用電源回路Ｅ２の動作を制御して帯電ロールＣＲｙ〜ＣＲｋに印加する帯電バイアスを制御する。
Ｃ２c：転写バイアス制御手段
転写バイアス制御手段Ｃ２cは、前記転写用電源回路Ｅ３の動作を制御して一次転写ロールＴ１ｙ〜Ｔ１ｋおよび二次転写ロールＴ２ｂに印加する転写バイアスを印加する。
Ｃ２d：定着用電源制御手段
定着用電源制御手段Ｃ２dは、定着用電源回路Ｅ４の動作を制御して、前記加熱ロールＦｈのヒータをオンオフ制御する。
【００３７】
Ｃ３：基準位置検出手段
基準位置検出手段Ｃ３は、前記基準位置検出センサＳＮ１の出力信号に応じて、中間転写ベルトＢの位置を検出する。
Ｃ４：ベルト停止位置判別手段
ベルト停止位置判別手段Ｃ４は、ベルト停止時間記憶手段Ｃ４Ａと、ベルト停止時間経時タイマＴＭ１とを有し、中間転写ベルトＢを停止させる停止位置に中間転写ベルトＢが移動したか否かを判別する。
Ｃ４Ａ：ベルト停止時間記憶手段
ベルト停止時間記憶手段Ｃ４Ａは、中間転写ベルトＢの基準位置検出マーク１が基準位置検出センサＳＮ１で検出されてから、吸着防止部材２が二次転写領域Ｑ４に移動するまでの中間転写ベルトＢの駆動時間であるベルト停止時間ｔ１を記憶する。
ＴＭ１：ベルト停止時間計時タイマ
ベルト停止時間計時タイマＴＭ１は、前記ベルト停止時間ｔ１を計時する。
【００３８】
（実施例１のフローチャートの説明）
図４は実施例１のベルト回転制御処理のフローチャートである。
図４のフローチャートの各ＳＴ（ステップ）の処理は、前記コントローラＣのＲＯＭやハードディスク等に記憶されたプログラムに従って行われる。また、この処理は画像形成装置Ｕの他の各種処理と並行してマルチタスクで実行される。
図４に示すフローチャートは画像形成装置Ｕの電源オンにより開始される。
【００３９】
図４のＳＴ１において、画像形成動作であるジョブが開始されたか否かを判別する。イエス（Ｙ）の場合はＳＴ２に進み、ノー（Ｎ）の場合はＳＴ１を繰り返す。
ＳＴ２において、メインモータ（ベルト駆動モータ）Ｍ１の駆動を開始し、中間転写ベルトＢ等の回転を開始する。そして、ＳＴ３に進む。
ＳＴ３において、ジョブが終了したか否かを判別する。イエス（Ｙ）の場合はＳＴ４に進み、ノー（Ｎ）の場合はＳＴ３を繰り返す。
ＳＴ４において、基準位置が検出されたか否か、すなわち、基準位置検出センサＳＮ１により基準位置検出マーク１が検出されたか否かを判別する。イエス（Ｙ）の場合はＳＴ５に進み、ノー（Ｎ）の場合はＳＴ４を繰り返す。
【００４０】
ＳＴ５において、ベルト停止時間計時タイマＴＭ１にベルト停止時間ｔ１をセットする。そして、ＳＴ６に進む。
ＳＴ６において、ベルト停止時間計時タイマＴＭ１がタイムアップしたか否か、すなわち、ベルト停止時間ｔ１が経過したか否かを判別する。イエス（Ｙ）の場合はＳＴ７に進み、ノー（Ｎ）の場合はＳＴ６を繰り返す。
ＳＴ７において、メインモータＭ１の駆動を停止する。そして、ＳＴ１に戻る。
【００４１】
（実施例１の作用）
前記構成を備えた実施例１の画像形成装置Ｕでは、画像形成動作であるジョブが終了する度に、高離型性の吸着防止部材２が二次転写領域Ｑ４に保持された状態で中間転写ベルトＢが停止する。この状態で、しばらく画像形成動作が実行されない場合、二次転写ロールＴ２ｂとバックアップロールＴ２ａとの挟圧により、バックアップロールＴ２ｂでブリードが発生することがある。しかし、バックアップロールＴ２ｂ表面と中間転写ベルトＢの裏面との間には、高離型性の吸着防止部材２が配置されているので、バックアップロールＴ２ｂと中間転写ベルトＢとが吸着する（タックする）ことが防止される。
【００４２】
したがって、次の画像形成動作の開始等により中間転写ベルトＢが回転しても、中間転写ベルトＢがバックアップロールＴ２ａに吸着することにより発生する異音の発生を防止できる。また、吸着防止部材２が、インターイメージ領域に配置されているので、吸着防止部材２の表面側の中間転写ベルトＢにはトナー像が担持されないので、トナー像が乱れて画質が低下することを防止できる。さらに、吸着防止部材２が薄膜状のテープ部材により構成されているので、段差がほとんど無く、ベルトＢ回転中に吸着防止部材２が他のロール（１次転写ロールＴ１ｙ〜Ｔ１ｋ等）に差し掛かった時に中間転写ベルトＢが振動等することも低減できる。
また、従来技術のように、タックが発生する領域にトナーを供給する必要がないので、トナーの無駄遣いによるランニングコスト上昇を防止できる。
また、実施例１の画像形成装置Ｕでは、中間転写ベルトＢの裏面に貼り付けられた吸着防止部材２という低コストな構成によりタックを長期間にわたって防止できる。したがって、従来技術のように内側に配置されたバックアップロールＴ２ａにトナーを供給する装置や予めトナーを付着させておく必要がないので、コスト上昇や構成の複雑化、経時的なタック防止効果の低下を防止できる。
【００４３】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ05）を下記に例示する。
（Ｈ01）前記実施例において、画像形成装置としての複写機を例示したが、これに限定されず、ＦＡＸやプリンタあるいはこれらすべてまたは複数の機能を備えた複合機とすることも可能である。また、カラーの画像形成装置に限定されず、モノクロの画像形成装置により構成することも可能であり、いわゆるタンデム式の画像形成装置に限定されず、ロータリ式等の画像形成装置にも適用可能である。
【００４４】
（Ｈ02）前記実施例において、吸着防止部材２とは異なる位置に配置された基準位置検出マーク１に基づいて、吸着防止部材２の停止位置を判別したが、これに限定されず、吸着防止部材を検出して、停止させることも可能である。
（Ｈ03）前記実施例において、ベルト部材として中間転写ベルトＢ、ベルト支持ロール対として二次転写器Ｔ２を例示したが、これに限定されず、感光体ベルト（トナー像担持ベルト）、転写ベルト、定着ベルト、シート搬送ベルト等、任意のベルト部材と、ベルト部材を挟圧するロール対とを有する画像形成装置に適用可能である。
【００４５】
（Ｈ04）前記実施例において、例示した吸着防止部材のサイズ（長さ、幅、厚み）や構成材料等は例示したものに限定されず、設計等に応じて任意に変更可能である。
（Ｈ05）前記実施例において、ベルト部材の駆動源は、感光体ＰＲｙ〜ＰＲｋ等と共通化したが、ベルト部材駆動専用の独立の駆動源（モータ）を使用することも可能である。
【図面の簡単な説明】
【００４６】
【図１】図１は本発明の実施例１の画像形成装置の全体説明図である。
【図２】図２は実施例１の画像形成装置の要部説明図であり、図２Ａは中間転写ベルトの全体説明図、図２Ｂは二次転写領域の拡大説明図である。
【図３】図３は本発明の実施例１の画像形成装置の制御部のブロック線図（機能ブロック図）である。
【図４】図４は実施例１のベルト回転制御処理のフローチャートである。
【図５】図５Ａはベルト部材が停止した状態の説明図、図５Ｂはベルト部材が回転を開始した直後の状態の説明図、図５Ｃはベルト部材が内側ベルト支持ロールから離隔した状態の説明図である。
【符号の説明】
【００４７】
２…吸着防止部材、
Ｂ…ベルト部材，トナー像担持ベルト、
Ｃ１…ベルト駆動手段、
Ｃ３…基準位置検出手段、
Ｑ４…挟持領域、
Ｓ…転写材、
Ｔ２ａ，Ｔ２ｂ…ベルト支持ロール，転写ロール対。
【図１】
0004848831.tif 000002
【図２】
0004848831.tif 000003
【図３】
0004848831.tif 000004
【図４】
0004848831.tif 000005
【図５】
0004848831.tif 000006